(57)【要約】【課題】レーザ制御回路への記録データと記録クロック信号の伝送タイミングを調整し常に最適な伝送タイミングを確保することによって誤った記録データを光ディスクへ記録することを回避することができる光ディスク装置を提供する。【解決手段】レーザ制御手段へ伝送される記録クロック信号と調整用記録データとの伝送タイミングを調整し、レーザ制御手段が調整用記録データと異なるデータ長の記録データのレーザ制御信号を生成したとき、誤伝送として検出し、伝送タイミングを所定の値で漸次変化させながら誤伝送の回数をカウントし、最も誤伝送の多い伝送タイミングの記録クロック信号を反転し、このときに検知された温度と、光ディスクへの記録動作の前に検知された温度との温度差を算出し、温度差が所定の閾値を超えたとき、改めて上記した一連の伝送タイミングを調整することによって、常に最適な伝送タイミングにすることができる。【選択図】図１
2008090910.tif 000002
【特許請求の範囲】
【請求項１】
光ディスクから読み出したウォブル信号に基づいてクロックとして用いる記録クロック信号を生成するクロック生成手段と、
所定のデータ長を有する調整用記録データを生成する記録データ生成手段と、
前期クロック生成手段により生成された記録クロック信号に基づいて同期を取りながら前記記録データ生成手段により生成された前記調整用記録データからレーザ制御信号を生成するレーザ制御手段と、
前記レーザ制御手段へ伝送される前記記録クロック信号と前記調整用記録データとの伝送タイミングを調整する伝送タイミング調整手段と、
前記調整用記録データが前記記録データ生成手段から前記レーザ制御手段へ伝送され、前記レーザ制御手段が前記調整用記録データからレーザ制御信号を生成する際、前記調整用記録データと異なるデータ長の記録データのレーザ制御信号を生成したとき、誤伝送として検出する誤伝送検出手段と、
前記伝送タイミング調整手段によって前記調整用記録データと前記記録クロック信号との伝送タイミングを所定の値で漸次変化させながら前記レーザ制御手段がレーザ制御信号を複数回生成するとき、前記誤伝送検出手段によって検出された誤伝送の回数をカウントし、該回数から最も誤伝送の多い伝送タイミングを算出し、該伝送タイミングにおける記録クロック信号を反転する記録クロック反転手段と、
前記レーザ制御手段周辺の温度を検知する温度検知手段と、
前記温度検知手段によって、前記記録クロック反転手段が記録クロック信号を反転したときに検知された温度と、前記光ディスクへの記録動作の前に検知された温度との温度差を算出し、前記温度差が所定の閾値を超えたかを判断する温度変化判定手段とを有し、
前記温度判定手段によって、前記温度差が前記所定の閾値を超えたと判定されたとき、改めて前記伝送タイミング調整手段によって前記調整用記録データと前記記録クロック信号との伝送タイミングを所定の値で漸次変化させながら前記レーザ制御手段がレーザ制御信号を複数回生成し、前記記録クロック反転手段が前記誤伝送検出手段によって検出された誤伝送の回数をカウントし該回数から最も誤伝送の多い伝送タイミングを算出し該伝送タイミングにおける記録クロック信号を反転することを特徴とする光ディスク装置。
【請求項２】
前記温度変化判定手段が温度差を算出するとき、前記記録クロック反転手段が記録クロック信号を反転したときに検知された温度は、最後に反転したときに検知された温度であることを特徴とする請求項１記載の光ディスク装置。
【請求項３】
光ディスクの情報記録面上へレーザ光を照射する発光手段に対してレーザ光を発光するための駆動電流を出力するレーザ駆動回路を有し、
前記伝送タイミング調整手段によって前記調整用記録データと前記記録クロック信号との伝送タイミングを所定の値で漸次変化させながら前記レーザ制御手段がレーザ制御信号を複数回生成したとき、前記レーザ駆動回路に該レーザ制御信号を出力しないことを特徴とする請求項１または請求項２記載の光ディスク装置。
【請求項４】
光ディスクから読み出したウォブル信号に基づいてクロックとして用いる記録クロック信号を生成するクロック生成ステップと、
所定のデータ長を有する調整用記録データを生成する調整用記録データ生成ステップと、
前期クロック生成ステップにおいて生成された前記記録クロック信号に基づいて同期を取りながら前記調整用記録データ生成ステップにおいて生成された前記調整用記録データからレーザ制御信号を生成するレーザ制御手段へ伝送される前記記録クロック信号と前記調整用記録データとの伝送タイミングを調整する伝送タイミング調整ステップと、
前記調整用記録データが前記レーザ制御手段へ伝送され、前記レーザ制御手段が調整用記録データからレーザ制御信号を生成する際、前記調整用記録データと異なるデータ長の記録データのレーザ制御信号を生成したとき、誤伝送として検出する誤伝送検出ステップと、
前記伝送タイミング調整ステップにおいて前記調整用記録データと前記記録クロック信号との伝送タイミングを所定の値で漸次変化させながら前記レーザ制御手段がレーザ制御信号を複数回生成するとき、前記誤伝送検出ステップにおいて検出された誤伝送の回数をカウントし、該回数から最も誤伝送の多い伝送タイミングを算出し、該伝送タイミングにおける記録クロック信号を反転する記録クロック反転ステップと、
前記レーザ制御手段周辺の温度を検知する温度検知手段によって、前記記録クロック反転ステップにおいて記録クロック信号を反転したときに検知された温度と、前記光ディスクへの記録動作の前に検知された温度との温度差を算出し、前記温度差が所定の閾値を超えたかを判断する温度変化判定ステップとを有し、
前記温度判定ステップにおいて前記温度差が前記所定の閾値を超えたと判定されたとき、改めて前記調整用記録データと前記記録クロック信号との伝送タイミングを前記所定の値で漸次変化させながら前記レーザ制御手段がレーザ制御信号を複数回生成し、誤伝送の回数をカウントし該回数から最も誤伝送の多い伝送タイミングを算出し該伝送タイミングにおける記録クロック信号を反転させることを特徴とする伝送タイミング調整方法。
【発明の詳細な説明】
【技術分野】
【０００１】
本発明は、ＣＤ、ＤＶＤあるいはＨＤ ＤＶＤなどを扱う光ディスク装置に関する。
【背景技術】
【０００２】
ＣＤ（Compact Disc）規格やＤＶＤ（Digital Versatile Disk）規格と呼ばれる複数種類の記録密度の光ディスクが既に広く普及しているが、近年、青紫色の波長のレーザ光を用いて情報を記録することにより、さらに記録密度が高められた超高密度光ディスク ＨＤ ＤＶＤ(High Density Digital Versatile Disk)も市場に投入されるようになった。またデジタル放送でのハイビジョン番組の増加やデジタル放送の放送地域の拡大に伴って、ハイビジョン番組を長時間記録することができる大容量メディアが求められ、記録型のＨＤ ＤＶＤ−Ｒ（Recordable）／ＲＷ（Rewritable）も市場に投入され始めている。
【０００３】
記録型の光ディスクに情報を記録する際、光ディスク装置内ではユーザデータや記録速度に応じた記録データ及び記録クロック信号がレーザ制御回路へ伝送され、これに応じてレーザ制御信号が生成され、これに基づいてレーザダイオードの駆動電流が生成され、最終的にレーザ光のパルスが光ディスクの記録面に照射される。
【０００４】
近年記録型のＣＤ、ＤＶＤおよびＨＤ ＤＶＤでは記録速度が高速化し、それに伴って基準クロックが上昇し、例えば、ＤＶＤにおいては１倍速での基準クロックは約２６ＭＨｚであるが、２倍速では５２ＭＨｚ、８倍で２０８ＭＨｚとなり、クロック信号の周期も非常に短くなっている。その影響によって、記録データと記録クロック信号の伝送タイミングにずれが発生する可能性が高まり、レーザ制御回路において正しいレーザ制御信号を生成することが困難となる場合がある。
【０００５】
このような伝送タイミングのずれあるいは誤差による問題を回避する方法として、以下のような技術が提案されている（例えば、特許文献１参照。）。
【０００６】
特許文献１には、例えばＮＲＺＩ（Non Return to Zero Inverted）信号とクロック信号の位相制御において、ＮＲＺＩ信号の立ち上がりおよび立ち下がりエッジとクロック信号の立ち上がり信号のタイミングがほぼ重なっている場合、ＮＲＺＩ信号の判定を行う際に、記録される媒体の規格で規定されているマーク、スペース幅以下のマーク、スペースが判定される場合があり、これが検出されたとき、クロックの位相を１８０度反転させるということが記載されている。また位相のずれた複数のサブクロック信号を生成しその中から最適な位相のクロック信号を選び出すということが記載されている。
【特許文献１】特開２００４−３４８８４８号公報
【発明の開示】
【発明が解決しようとする課題】
【０００７】
光ディスク装置内のレーザ制御回路（レーザ制御手段）へ伝送される記録データと記録クロック信号の伝送タイミングの誤差は、記録データと記録クロック信号の伝送タイミングの相対的なずれであり、このずれは、レーザ制御回路とレーザ制御回路周辺の温度に最も影響を受ける。温度が上昇すると、回路基板のパターン経路のインピーダンス、配線容量が変化し、記録データと記録クロックの伝送経路にそれぞれ違った影響が生ずる。また回路基板に搭載されている部品の温度ドリフト等がある。記録速度の上昇によって記録データ、記録クロック信号とも周期が小さくなり、温度変化による伝送経路への影響が、相対的に大きくなることによって、伝送タイミングのずれあるいは誤差が発生する。
【０００８】
光ディスク装置はサーバ装置やパーソナルコンピュータに内蔵されることが多く、これらホスト装置の内部の温度の影響を受ける。また光ディスク装置自体の発熱部品よる温度上昇があり、稼動状態においてはレーザ制御回路とレーザ制御回路周辺の温度は刻々と変化している。従って記録データと記録クロック信号の伝送タイミングのずれあるいは誤差も温度変化に伴って刻々と変化している。これに対して温度を必要に応じて監視しながら伝送タイミングを調整することが望まれる。
【０００９】
本発明は上記したような事情に鑑み成されたものであって、レーザ制御回路への記録データと記録クロック信号の伝送タイミングを調整し常に最適な伝送タイミングにすることができる光ディスク装置を提供することを目的とする。
【課題を解決するための手段】
【００１０】
上記目的を達成するために、本発明の光ディスク装置は、光ディスクから読み出したウォブル信号に基づいてクロックとして用いる記録クロック信号を生成するクロック生成手段と、所定のデータ長を有する調整用記録データを生成する記録データ生成手段と、前期クロック生成手段により生成された記録クロック信号に基づいて同期を取りながら前記記録データ生成手段により生成された前記調整用記録データからレーザ制御信号を生成するレーザ制御手段と、前記レーザ制御手段へ伝送される前記記録クロック信号と前記調整用記録データとの伝送タイミングを調整する伝送タイミング調整手段と、前記調整用記録データが前記記録データ生成手段から前記レーザ制御手段へ伝送され、前記レーザ制御手段が前記調整用記録データからレーザ制御信号を生成する際、前記調整用記録データと異なるデータ長の記録データのレーザ制御信号を生成したとき、誤伝送として検出する誤伝送検出手段と、前記伝送タイミング調整手段によって前記調整用記録データと前記記録クロック信号との伝送タイミングを所定の値で漸次変化させながら前記レーザ制御手段がレーザ制御信号を複数回生成するとき、前記誤伝送検出手段によって検出された誤伝送の回数をカウントし、該回数から最も誤伝送の多い伝送タイミングを算出し、該伝送タイミングにおける記録クロック信号を反転する記録クロック反転手段と、前記レーザ制御手段周辺の温度を検知する温度検知手段と、前記温度検知手段によって、前記記録クロック反転手段が記録クロック信号を反転したときに検知された温度と、前記光ディスクへの記録動作の前に検知された温度との温度差を算出し、前記温度差が所定の閾値を超えたかを判断する温度変化判定手段とを有し、前記温度判定手段によって、前記温度差が前記所定の閾値を超えたと判定されたとき、改めて前記伝送タイミング調整手段によって前記調整用記録データと前記記録クロック信号との伝送タイミングを所定の値で漸次変化させながら前記レーザ制御手段がレーザ制御信号を複数回生成し、前記記録クロック反転手段が前記誤伝送検出手段によって検出された誤伝送の回数をカウントし該回数から最も誤伝送の多い伝送タイミングを算出し該伝送タイミングにおける記録クロック信号を反転することを特徴とする。
【００１１】
また、本発明の伝送タイミング調整方法は、光ディスクから読み出したウォブル信号に基づいてクロックとして用いる記録クロック信号を生成するクロック生成ステップと、所定のデータ長を有する調整用記録データを生成する調整用記録データ生成ステップと、前期クロック生成ステップにおいて生成された前記記録クロック信号に基づいて同期を取りながら前記調整用記録データ生成ステップにおいて生成された前記調整用記録データからレーザ制御信号を生成するレーザ制御手段へ伝送される前記記録クロック信号と前記調整用記録データとの伝送タイミングを調整する伝送タイミング調整ステップと、前記調整用記録データが前記レーザ制御手段へ伝送され、前記レーザ制御手段が調整用記録データからレーザ制御信号を生成する際、前記調整用記録データと異なるデータ長の記録データのレーザ制御信号を生成したとき、誤伝送として検出する誤伝送検出ステップと、前記伝送タイミング調整ステップにおいて前記調整用記録データと前記記録クロック信号との伝送タイミングを所定の値で漸次変化させながら前記レーザ制御手段がレーザ制御信号を複数回生成するとき、前記誤伝送検出ステップにおいて検出された誤伝送の回数をカウントし、該回数から最も誤伝送の多い伝送タイミングを算出し、該伝送タイミングにおける記録クロック信号を反転する記録クロック反転ステップと、前記レーザ制御手段周辺の温度を検知する温度検知手段によって、前記記録クロック反転ステップにおいて記録クロック信号を反転したときに検知された温度と、前記光ディスクへの記録動作の前に検知された温度との温度差を算出し、前記温度差が所定の閾値を超えたかを判断する温度変化判定ステップとを有し、前記温度判定ステップにおいて前記温度差が前記所定の閾値を超えたと判定されたとき、改めて前記調整用記録データと前記記録クロック信号との伝送タイミングを前記所定の値で漸次変化させながら前記レーザ制御手段がレーザ制御信号を複数回生成し、誤伝送の回数をカウントし該回数から最も誤伝送の多い伝送タイミングを算出し該伝送タイミングにおける記録クロック信号を反転させることを特徴とする。
【発明の効果】
【００１２】
本発明によれば、レーザ制御回路への記録データと記録クロック信号の伝送タイミングを調整し常に最適な伝送タイミングにすることができるので、誤った記録データを光ディスクへ記録することを回避することが実現できる。
【発明を実施するための最良の形態】
【００１３】
以下本発明の実施例について図面を参照しながら説明する。
【００１４】
図１は、本発明が適用される光ディスク装置１の構成を示すブロック図である。光ディスク２は、例えばＤＶＤ−ＲＡＭのようなユーザデータを記録可能な光ディスクである。光ディスク２の情報記録面にはスパイラル状にランドトラックおよびグループトラックが形成されており、この光ディスク２はディスクモータ３によって回転駆動される。ディスクモータ３はディスクモータ制御回路４によって制御されている。
【００１５】
光ディスク２に対する情報の記録、再生は、光ピックアップ５によって行われる。光ピックアップ５には、図示しないワイヤあるいは板バネによって移動可能に支持された対物レンズ６が設けられており、対物レンズ６はフォーカス方向駆動コイル７の駆動によりフォーカスシング方向（レンズの光軸方向）への移動が可能であり、またトラック方向駆動コイル８の駆動によりトラッキング方向（レンズの光軸と直交する方向）への移動が可能である。
【００１６】
記録データ生成回路９は情報記録時にホスト装置２７からインターフェース回路２６を介して供給されるユーザデータを変調して記録データを生成し、この記録データをレーザ制御回路１０へ伝送する。変調方式は例えばＤＶＤ系の場合には８−１６変調であり、ＣＤ系の場合にはＥＦＭ変調である。また記録データ生成回路９は、記録データと記録クロック信号の伝送タイミングを調整する際の所定のデータ長を有する調整用記録データを生成しレーザ制御回路１０へ伝送する。記録データ生成回路９は記録データ生成手段としての機能を有する。
【００１７】
レーザ制御回路１０は記録データ生成回路９により生成された記録データを受信し、記録データからレーザ制御信号を生成しレーザ駆動回路１１へ該レーザ制御信号を出力する。レーザ制御回路１０は、レーザ制御信号を生成する際、クロック生成回路１８から供給される記録クロック信号を同期信号として取り入れ、これに基づいて、記録データのデータ長が、例えば、ＤＶＤ系であれば３Ｔから１４Ｔの信号であると判定する。レーザ制御回路１０はレーザ制御手段として機能する。
【００１８】
またレーザ制御回路１０は、記録データと記録クロック信号からライトストラテジと呼ばれる記録補正信号をレーザ制御信号として生成する。ライトストラテジは各種光ディスクの記録特性に適した出力波形が得られるように設定され、予め光ディスク装置の製造段階でＲＯＭ２５に記録されたり、光ディスク２上のコントロールデータゾーンと呼ばれる領域に記録されており、これらのライトストラテジは記録動作を開始する前にＲＡＭ２４、またはレーザ制御回路１０に保存される。
【００１９】
レーザ駆動回路１１は、光ディスク２の情報記録面上へレーザ光を照射する光ピックアップ５内の半導体レーザダイオード（発光手段）１２に対してレーザ光を発光するための駆動電流を出力する。
【００２０】
半導体レーザダイオード１２は、レーザ駆動回路１１から供給される駆動電流に応じてレーザ光を発光する。半導体レーザダイオード１２から発せられるレーザ光は、光学系部品１３及び対物レンズ６を介して光ディスク２の記録面上に照射される。光ディスク２からの反射光は、対物レンズ６及び光学系部品１３を通過して光ピックアップ５内の光検出器１４に導かれる。光検出器１４からの出力信号は、ＲＦアンプ１５へ供給される。
【００２１】
ＲＦアンプ１５は、フォーカスエラー信号及びトラッキングエラー信号を生成し、フォーカス・トラッキング制御回路１６へ出力する。フォーカス・トラッキング制御回路１６は、フォーカスシング制御信号及びトラッキング制御信号を生成する。それらの信号は、光ピックアップ５のフォーカス方向駆動コイル７及びトラック方向駆動コイル８に供給され、レーザ光が光ディスク２の情報記録面上のトラックに追従し常時ジャストフォーカスとなるように対物レンズ６が制御される。またＲＦアンプ１５は、データ再生信号を生成し、データ再生回路１７へ出力する。
【００２２】
データ再生回路１７は、クロック生成回路１８からの再生用クロック信号に基づき、データ再生信号を復調する。データ再生回路１７で復調された再生データは、付与されているエラー訂正コードを用いて図示しないエラー訂正回路でエラー訂正を行った後、インターフェース回路２３を介してホスト装置２４に出力される。
【００２３】
クロック生成回路１８は、ウォブル信号を分周した信号を基準として位相比較器、ループフィルター、ＶＣＯ（Voltage Controlled Oscillator）、分周器等により構成されたＰＬＬ（Phase Locked Loop）回路によってクロック信号を生成する。ウォブル信号は光ディスクの記録面に刻まれた蛇行したグルーブから得られる正弦波状の信号である。クロック生成回路１８は、データ再生回路１７に対して再生クロック信号を供給し、レーザ制御回路１０に対しては記録クロック信号を供給する。クロック生成回路１８は、クロック生成手段として機能する。
【００２４】
記録クロック遅延回路１９は、後述する伝送タイミング調整制御部２３ａとで伝送タイミング調整手段を構成し、この伝送タイミング調整制御部２３ａによって決定した伝送タイミング調整量に応じてレーザ制御回路１０へ伝送する記録クロックを遅延させ、記録データ生成回路９により生成された記録データとの相対的な伝送タイミング関係を調整する機能を有する。
【００２５】
記録クロック反転回路２０は、後述する記録クロック反転制御部２３ｂとで記録クロック反転手段を構成し、この記録クロック反転制御部２３ｂからの指示に応じてクロック生成回路１８から出力される記録クロックを反転する機能を有する。
【００２６】
温度検知手段２１はレーザ制御回路１０の周辺の温度を検知するための手段であり、主にサーミスタ等の温度センサにより構成される。また、この温度検知手段２１と後述する温度変化判定制御部２３ｃとで温度変化判定手段を構成している。
【００２７】
ディスクモータ制御回路４、記録データ生成回路９，レーザ制御回路１０、フォーカス・トラッキング制御回路１６、データ再生回路１７、クロック生成回路１８は、バス２２を介してＣＰＵ（Central Processing Unit）２３によって制御される。
【００２８】
ＣＰＵ２３はインターフェース回路２６を介してホスト装置２７から供給される動作コマンドに従って、この光ディスク記録再生装置１を総合的に制御する。また、ＣＰＵ２３は、ＲＡＭ（Random Access Memory）２２を記録再生時のバッファメモリ等の作業エリアとして使用し、ＲＯＭ（Read Only Memory）２３に記憶されたプログラムに従った所定の制御を行う。
【００２９】
レーザ制御回路１０は、レーザ制御回路１０への記録データと記録クロック信号の伝送タイミングの調整を実現する上で誤伝送検出手段１０ａの機能を有する。誤伝送検出手段１０ａは、所定のデータ長を有する調整用記録データが記録データ生成手段９からレーザ制御回路１０へ伝送され、レーザ制御回路１０がこの調整用記録データからレーザ制御信号を生成する際、調整用記録データと記録クロックの伝送タイミングがずれているために調整用記録データと異なるデータ長を有する記録データのレーザ制御信号を生成してしまったとき、誤伝送として検出する手段である。
【００３０】
調整用記録データのデータ長は、随意のデータ長を設定できるが、例えば、ＤＶＤ系であれば３Ｔから１４Ｔの間のどれか一つの信号であれば都合がよい。例えば調整用記録データとして３Ｔを設定した場合、伝送タイミングが適正な状態であれば、レーザ制御回路１０が正しく３Ｔと判定してレーザ制御信号を生成できる。ところが、伝送タイミングが適正でない状態で、３Ｔ以外の２Ｔまたは４Ｔと判定してレーザ制御信号を生成した場合には、誤伝送検出手段１０ａは、誤伝送として検出する。
【００３１】
ＣＰＵ２３は、レーザ制御回路１０への記録データと記録クロック信号の伝送タイミングの調整を実現する上で少なくとも伝送タイミング調整手段２３ａ、記録クロック反転手段２３ｂ、温度変化判定手段２３ｃとしての機能を有する。この各手段はＲＡＭ２４の所要ワークエリアをデータの一時的な格納場所として利用する。
【００３２】
伝送タイミング調整制御部２３ａは、記録データ生成回路９により生成されレーザ制御回路１０へ伝送される所定のデータ長を有する調整用記録データと、クロック生成回路１８により生成されレーザ制御回路１０へ伝送される記録クロック信号との伝送タイミングを調整する機能を有する。また、この伝送タイミング調整制御部２３ａは、記録クロック遅延回路１９に対して伝送タイミング調整量に応じて記録クロックを遅延させるように制御し、記録データ生成回路９により生成された記録データとの相対的なタイミング関係を調整する機能を有する。
【００３３】
記録クロック反転制御部２３ｂは、前記伝送タイミング調整手段によって調整用記録データと記録クロック信号との伝送タイミングを所定の値で漸次変化させながらレーザ制御回路１０がレーザ制御信号を複数回生成するとき、誤伝送検出手段１０ａによって検出された誤伝送の回数をカウントし、この回数から最も誤伝送の多い伝送タイミングを算出し、その伝送タイミングにおける記録クロック信号を反転させるように記録クロック反転回路２０を制御する機能を有する。
【００３４】
温度変化判定制御部２３ｃは、温度変化判定手段として機能し、温度検知手段２１によって、前記記録クロック反転手段２３ｂが記録クロック信号を反転したときに検知された温度と、光ディスク２への記録動作の前に検知された温度との温度差を算出し、前記温度差が所定の閾値を超えたかを判断する。また、温度変化判定制御部２３ｃは、光ディスク２への記録動作を含む動作の前毎に温度検知手段２１によって検知される温度を計測する機能を有する。
【００３５】
図２は、記録データと記録クロック信号の伝送タイミングを模式的に示した図である。図２では、例として記録データは３Ｔのデータ長を有する記録データを示している。記録クロック信号は１周期Ｔの立ち上り立下りの内立ち上りで記録データの同期を取るものとし、記録クロック信号の立ち上り部分に矢印を付けて表す。記録データのデータ長は記録データの立ち上りから立下りまでの間に記録クロック信号の立ち上りが何個含まれるかにより判別される。
【００３６】
図２においては、記録データの立ち上り部と記録クロック信号の立ち上り部がほぼ同期した状態あるいは記録データの立ち上りと記録クロック信号の立ち上りが小さな範囲Ａの中にあるとき、記録クロック信号の立ち上りが記録データより早いか遅いかは、伝送タイミングの僅かなずれにより判定が異なる。記録データの立下りでも同様の状態となっており、このような状態では、本来３Ｔであるべきデータ長が２Ｔあるいは４Ｔといった誤伝送となる可能性が大きい。誤伝送となった場合には、レーザ制御回路１０が２Ｔあるいは４Ｔという誤ったレーザ制御信号を生成してしまい、誤ったデータが光ディスクに記録される。
【００３７】
図３は、記録データの立ち上りと記録クロック信号の立ち上りの位相差と誤伝送発生数の関係を示した図である。位相差がゼロ付近または３６０度付近、つまり図２で示した前記二つの立ち上りが小さな範囲Ａの中にあるような場合に、誤伝送発生数は大きくなる。１８０度ずれた部分が最も伝送タイミングのずれに対して余裕のあることが分かる。
【００３８】
図４は、記録データと記録クロック信号の立ち上りの位相差が記録クロック信号の半周期分ずれていることを模式的に示した図である。この場合が伝送タイミングのずれに対して余裕があり、最適な伝送タイミングである。この伝送タイミングは図２で示した伝送タイミングにおいて、記録クロック信号を反転した状態と同様である。
【００３９】
図５は、レーザ制御回路１０へ伝送される調整用記録データと記録クロック信号との伝送タイミングを調整するフローチャートである。伝送タイミングの調整は光ディスク２が光ディスク装置１へ装填された後の一連のイニシャル動作の中で行われる。また後述するように光ディスク２への記録動作の前に温度を計測し、伝送タイミングを調整した時の温度との差を算出し、その差が所定の閾値より大きい場合に再び伝送タイミングの調整が行われる。伝送タイミングの調整はＣＰＵ２３が、ＲＯＭ２５に記憶されたプログラムに従って全体を制御する。
【００４０】
Ｓ１において、記録データ生成回路９が、所定のデータ長を有する調整用記録データを生成し、クロック生成回路１８が、記録クロック信号を生成する。Ｓ２において、伝送タイミング調整制御部２３ａは、記録クロック遅延回路１９に対して調整用記録データと記録クロック信号との伝送タイミングを初期値に設定させる。調整用記録データのデータ長は、例えばこのフローチャートの説明においては３Ｔとする。Ｓ３において、クロック生成回路１８から記録クロック信号と記録データ生成手段９から調整用記録データがレーザ制御回路１０へ伝送される。
【００４１】
Ｓ４において、まずレーザ制御回路１０がクロック生成回路１８から伝送された記録クロック信号と記録データ生成手段９から伝送された調整用記録データを受信し、レーザ制御信号を生成する。このとき誤伝送検出手段１０ａは、データ長が３Ｔ以外の誤伝送が発生していれば、その誤伝送を検出する。記録クロック反転制御部２３ｂは、このときの伝送タイミングと誤伝送の発生したことをメモリ（ＲＡＭ２４）取り込む。
【００４２】
Ｓ５において、伝送タイミング調整制御部２３ａは、伝送タイミングの変更が必要であるかを判断する。伝送タイミングの変更とは、調整用記録データに対して記録クロック信号の位相を例えば（３６０／Ｎ）度（Ｎは自然数）だけ遅らせて伝送することである。例えばＮ＝３６０とすると１回につき１度変更し、これをＮ回繰り返すことにより記録クロックの１周期分の伝送タイミングにおける誤伝送の発生件数が判断できる。伝送タイミング調整制御部２３ａは記録クロック遅延回路１９を制御することにより、上記した所定の値で記録クロック信号と記録データ信号との位相関係を変化させるように制御する。以上のように、伝送タイミング調整制御部２３ａと記録クロック遅延回路１９とで構成される伝送タイミング調整手段が調整用記録データと記録クロック信号との伝送タイミングを所定の値で漸次変化させながら、レーザ制御回路１０がレーザ制御信号を複数回生成する。伝送回数の変更がＮ回に達していなければ、Ｓ２に戻って伝送タイミングを変更する。変更回数がＮ回に達するとＳ６へ移る。
【００４３】
Ｓ６において、記録クロック反転手段は、誤伝送検出手段１０ａによって検出された誤伝送の回数をカウントし、この回数から最も誤伝送の多い伝送タイミングを算出する。最も誤伝送の多い伝送タイミングとは、図２で示した記録データの立ち上り部と記録クロック信号の立ち上り部がほぼ同期した状態あるいは記録データの立ち上りと記録クロック信号の立ち上りが小さな範囲Ａの中にあるときであり、図３で示したように位相差がゼロ付近または３６０度付近で誤伝送発生数は大きくなる。
【００４４】
Ｓ７において、記録クロック反転手段は、Ｓ５で算出した最も誤伝送の多い伝送タイミングにおける記録クロック信号を反転する。記録クロック信号の反転は、記録クロック反転制御部２３ｂからの指示に応じて記録クロック反転回路２０によって実行される。この伝送タイミングは図４で示したように、記録データの立ち上りと記録クロック信号の立ち上りの位相差が記録クロック信号の半周期分ずれた位相となっており、伝送タイミングのずれに対して余裕があり、最適な伝送タイミングとなっている。
【００４５】
Ｓ８において、温度変化判定制御部２３ｃはその時点のレーザ制御回路１０付近の温度を温度検知手段２１からの信号を得て計測し、ＲＡＭ２４に記憶し、終了する。
【００４６】
図６は温度計測によって伝送タイミングの再調整の要否を判断するフローチャートである。伝送タイミングの調整は、光ディスク２が光ディスク装置１へ装填された後の一連のイニシャル動作の中で行われた後に、記録動作の前にレーザ制御回路１０の周辺の温度を計測し、前回伝送タイミングを調整した時の温度との差を算出し、その差が所定の閾値より大きい場合に再び伝送タイミングの調整が行われる。
【００４７】
Ｓ１１において、温度変化判定制御部２３ｃは、ホスト装置２７から記録コマンド等の記録動作を含むコマンドを受けると、温度検知手段２１の検知信号からレーザ制御回路１０の周辺の温度を計測する。
【００４８】
Ｓ１２において、温度変化判定制御部２３ｃは、Ｓ１１において計測された温度と記録クロック反転手段２３ｂが記録クロック信号を反転したときに検知された温度と、光ディスクへの記録動作の前に検知された温度との温度差を算出し、前記温度差が所定の閾値を超えたかを判断する。温度変化判定制御部２３ｃが温度差を算出するとき、記録クロック反転手段２３ｂが記録クロック信号を反転したときに検知された温度は、最後に反転したときに検知された温度である。
【００４９】
Ｓ１３において、温度変化判定制御部２３ｃは、Ｓ１２で算出された温度差が所定の閾値を超えたかを判断する。所定の閾値は、レーザ制御回路１０とレーザ制御回路１０周辺の温度変化によって伝送タイミングのずれあるいは誤差が大きくなり、伝送タイミングの再調整が必要となる温度差である。所定の閾値が例えば３度と設定されたとすると、温度差が３度を超えている場合には、Ｓ１４へ移り、３度以内であれば終了する。所定の閾値はＲＯＭ２５に記憶されている。Ｓ１４において、図５で示した伝送タイミング調整を改めて行う。
【００５０】
以上のように、レーザ制御回路へ伝送される記録クロック信号と所定のデータ長を有する調整用記録データとの伝送タイミングを調整し、レーザ制御手段がレーザ制御信号を生成する際、調整用記録データと異なるデータ長の記録データのレーザ制御信号を生成したとき、誤伝送として検出し、伝送タイミングを所定の値で漸次変化させながら前記レーザ制御手段がレーザ制御信号を複数回生成するとき、検出された誤伝送の回数をカウントし、該回数から最も誤伝送の多い伝送タイミングを算出し、該伝送タイミングにおける記録クロック信号を反転し、安定な伝送タイミングを設定することができる。
【００５１】
更に記録クロック信号を反転したときに検知された温度と、光ディスクへの記録動作の前に検知された温度との温度差を算出し、温度差が所定の閾値を超えたと判定されたとき、改めて上記した一連の伝送タイミングを調整、実行することによって、常に最適な伝送タイミングにすることができるので、誤った記録データを光ディスクへ記録することを回避することが実現できる。このため光ディスクへの情報の記録動作において記録情報の品質向上を図ることができる。
【００５２】
本発明は以上の構成に限定されるもではなく種々の変形が可能である。
【図面の簡単な説明】
【００５３】
【図１】本発明が適用される光ディスク装置１の構成を示すブロック図。
【図２】記録データと記録クロック信号の伝送タイミングを模式的に示した図。
【図３】記録データと記録クロック信号の立ち上りの位相差と誤伝送発生数の関係を示した図。
【図４】記録データと記録クロック信号の立ち上りの位相差が記録クロック信号の半周期分ずれていることを模式的に示した図。
【図５】調整用記録データと記録クロック信号の伝送タイミングを調整するフローチャート。
【図６】温度計測によって伝送タイミングの再調整の要否を判断するフローチャート。
【符号の説明】
【００５４】
１  光ディスク装置
２  光ディスク
５  光ピックアップ
９  記録データ生成回路
１０  レーザ制御回路
１０ａ  誤伝送検出手段
１１  レーザ駆動回路
１２  レーザダイオード
１５  ＲＦアンプ
１６  フォーカス・トラッキング制御回路
１７  データ再生回路
１８  クロック生成回路
１９  記録クロック遅延回路
２０  記録クロック反転回路
２１  温度検知手段
２２  バス
２３  ＣＰＵ
２３ａ  伝送タイミング調整制御部
２３ｂ  記録クロック反転制御部
２３ｃ  温度変化判定制御部
２４  ＲＡＭ
２５  ＲＯＭ
２６  インターフェース回路
２７  ホスト装置
【図１】
2008090910.tif 000003
【図２】
2008090910.tif 000004
【図３】
2008090910.tif 000005
【図４】
2008090910.tif 000006
【図５】
2008090910.tif 000007
【図６】
2008090910.tif 000008